(57)【要約】【課題】３個モジュール寸法のケースに設けられる差込プラグ接続部やアース端子などの配線器具の個数を減少させることなく遮断機構部を設けることができるコンセントを提供する。【解決手段】コンセント１はＪＩＳ規格で規格化された３個モジュール寸法のケース３の幅方向の一方側に偏心させて２個の差込プラグ接続部５，５と１個のアース端子６が長手方向に間隔をおいて設けられ、ケース３の幅方向の他方側に遮断機構部７が設けられる。【選択図】図１
2006351207.tif 000002
【特許請求の範囲】
【請求項１】
ＪＩＳ規格で規格化された大角形連用配線器具の取付枠に固定される３個モジュール寸法に形成されたケースに、少なくとも１つの差込プラグ接続部を含む配線器具と、前記差込プラグ接続部への電源供給を遮断する遮断機構部とを備えた埋込形のコンセントにおいて、前記配線器具を前記ケースの幅方向の一方側に偏心させて設け、他方側に前記遮断機構部を設けたことを特徴とするコンセント。
【発明の詳細な説明】
【技術分野】
【０００１】
本発明は、電気機器を内蔵し、取付枠を介して壁面に埋め込んで使用される埋込形のコンセントに関する。
【背景技術】
【０００２】
取付枠を介して壁面に埋め込んで使用される埋込形のコンセントは、略立方体状のケースの幅方向中央に差込プラグ接続部やアース端子などの配線器具が位置するようにケース前面長手方向に１〜３個配置されている。これらのケース及び取付枠の寸法はＪＩＳ規格により規定され、例えば、トラッキング保護装置、過負荷保護装置、漏電保護装置、コード短絡保護装置、感震器などの遮断機構部を３個モジュール寸法のケースに内蔵する場合、ケースの長手方向端部にモジュール１個分のスペースを使って遮断機構部を配置し、残りのモジュール２個分のスペースに配線器具が配置されていた（例えば、特許文献１参照。）。
【０００３】
【特許文献１】特開平７−１４４９２号公報（第６図）
【発明の開示】
【発明が解決しようとする課題】
【０００４】
このように、従来のコンセントは３個モジュール寸法のケースに遮断機構部を内蔵する場合、差込プラグ接続部やアース端子などの配線器具１個分の配置スペースが減少し、最大２個しか配置できず、アース端子を設けた場合は差込プラグ接続部が１個しか設けられないので使い勝手が悪いという問題があった。
【課題を解決するための手段】
【０００５】
本発明は、ＪＩＳ規格で規格化された大角形連用配線器具の取付枠に固定される３個モジュール寸法に形成されたケースに、少なくとも１つの差込プラグ接続部を含む配線器具と、差込プラグ接続部への電源供給を遮断する遮断機構部とを備えた埋込形のコンセントにおいて、配線器具をケースの幅方向の一方側に偏心させて設け、他方側に遮断機構部を設けたことを特徴とする。
【発明の効果】
【０００６】
本発明によれば、３個モジュール寸法のケースに設けられる差込プラグ接続部やアース端子などの配線器具の個数を減少させることなく遮断機構部を設けることができるという効果がある。
【発明を実施するための最良の形態】
【０００７】
コンセントはＪＩＳ規格で規格化された３個モジュール寸法のケースの幅方向の一方側に少なくとも１つの差込プラグ接続部を含む配線器具を偏心させて設け、ケースの幅方向の他方側にトラッキング保護装置、過負荷保護装置、漏電保護装置、コード短絡保護装置、感震器などの遮断機構部を設ける。
【実施例１】
【０００８】
本発明に係るコンセントの実施例１を図１及び図２の添付図面に基づいて説明する。
【０００９】
コンセント１はＪＩＳ規格（日本工業規格）で規格化された大角形連用配線器具の取付枠（ＪＩＳ  Ｃ  ８３７５）２と、３個モジュール寸法（ＪＩＳ  Ｃ  ８３０３）に形成された樹脂製のケース３と、ケース３の前面部３ａを露出させて取付枠２を覆うフラッシプレート４とで構成し、図１に示すように取付枠２の開口部２ａにケース３の前面部３ａを嵌めた上で例えばネジ止めやカシメ止めなどの固定手段により固定され、取付枠２の取付孔２ｂを取付ネジ（図示せず）で壁面に埋設されたスイッチボックス（図示せず）に螺着し、図２に示すように取付枠２にフラッシプレート４を装着して設置するようになっている。
【００１０】
ケース３はフラッシプレート４の開口部４ａから露出する前面部３ａの幅方向の一方側に偏心して２個の差込プラグ接続部５，５と１個のアース端子６が長手方向に間隔をおいて配置されている。差込プラグ接続部５はケース３の前面に形成される１対のプラグ挿入口５ａ，５ａと、プラグ挿入口５ａ，５ａの内側に配設される受刃５ｂ，５ｂとで構成し、負荷機器の電源プラグの栓刃（図示せず）が挿入接続されるようになっており、アース端子６はケース３の前面の開閉可能なカバー６ａにより閉塞され、負荷機器の電源コードのアース線（図示せず）が接続されるようになっている。尚、ケース３に少なくとも１つの差込プラグ接続部５を備えていれば、その他の配線器具の組み合わせに限定はなく、適宜に変更して実施することも可能である。
【００１１】
また、ケース３の前面部３ａの幅方向の他方側にトラッキング保護装置の遮断機構部７が配置されている。トラッキング保護装置は電源プラグの栓刃間に発生するトラッキングを検出するための検出部８と、検出部８からの信号により異常を検出して遮断機構部７に遮断信号を出力する異常検出回路９とを備え、検出部８はプラグ接続口５ａ，５ａ間に設けられ、異常検出回路９は受刃５ｂ，５ｂの背部スペースに設けられている。遮断機構部７は差込プラグ接続部５，５へ電源を供給する電路を開閉操作するための操作ハンドル７ａがケース３の前面に配置され、操作ハンドル７ａはオン時にケース３の前面と略面一となり、オフ時にケース３の前面から突出するように起倒可能に設けられている。このトラッキング保護装置は検出部８の検出信号により異常検出回路９がトラッキングを検出すると遮断機構部７へ遮断信号を出力し、遮断機構部７は遮断信号を受けると作動して電路を遮断する構造となっている。尚、遮断機構部７を作動させる装置はトラッキング保護装置に限らず、例えば、過負荷保護装置、漏電保護装置、コード短絡保護装置、感震器などでも良い。
【００１２】
このようにケース３を形成したことで差込プラグ接続部５やアース端子６などの配線器具を合計３個を設けた上で遮断機構部７を設けることができる。尚、ケース３は全体として３個モジュール寸法に形成されていれば、図３に示すように配線器具が設けられる一方側と、遮断機構部７が設けられる他方側とを分割して形成しても良い。また、本実施例では配線器具が左側に配置されているが、配線器具と遮断機構部７を左右逆に配置することも可能である。また、図４に示すようにケース３の前面部３ａに配線器具だけを配置して内部に検出部８と異常検出回路９を内蔵したコンセント１１を本実施例の遮断機構部７を備えたコンセント１の横方向に複数連設しても良い。この場合、両者間を電力線１２と信号線１３で渡り配線することにより、コンセント１１で異常を検出するとコンセント１の遮断機構部７にコンセント１１への電源の供給を遮断することが可能となる。また、図５に示すように３個モジュール寸法のケース複数個分を一体に形成しても良い。
【図面の簡単な説明】
【００１３】
【図１】本発明に係るコンセントを示し、（ａ）は正面図、（ｂ）は底面図、（ｃ）は右側面図である。
【図２】本発明に係るコンセントを示し、フラッシプレートを取り付けた状態の正面図である。
【図３】本発明に係るコンセントの変形実施例を示す正面図である。
【図４】本発明に係るコンセントの変形実施例を示し、（ａ）は正面図、（ｂ）は底面図である。
【図５】本発明に係るコンセントの変形実施例を示し、（ａ）は正面図、（ｂ）は底面図である。
【符号の説明】
【００１４】
１    コンセント
２    取付枠
３    ケース
４    フラッシプレート
５    差込プラグ接続部
６    アース端子
７    遮断機構部
【図１】
2006351207.tif 000003
【図２】
2006351207.tif 000004
【図３】
2006351207.tif 000005
【図４】
2006351207.tif 000006
【図５】
2006351207.tif 000007